(57)【要約】【課題】分割面板を簡易な構成で連結することができ、その構造を低コストに実現できるドアを提供する。【解決手段】所定厚みの板状に形成される芯材１の内外面にそれぞれ金属製の面板２、３を配設してなり、芯材の内外少なくとも一方の面に配設される面板は複数の分割面板３ａ、３ｂからなり、各分割面板は連結される縁部にそれぞれ略Ｌ字状に折り曲げられた折曲片２１を有し、連結する分割面板の各折曲片を突き合わせて連結辺２２を形成し、連結辺には突き合わされた折曲片が嵌入されこれらを挟持する連結部材２３が取付けられて分割面板を連結し、芯材には連結辺に沿って折曲片及び連結部材を納める凹部１ａが形成されてなる。【選択図】図５
2008095280.tif 000002
【特許請求の範囲】
【請求項１】
所定厚みの板状に形成される芯材の内外面にそれぞれ金属製の面板を配設してなるドアにおいて、
前記芯材の内外少なくとも一方の面に配設される面板は複数の分割面板からなり、各分割面板は連結される縁部にそれぞれ略Ｌ字状に折り曲げられた折曲片を有し、連結する分割面板の各折曲片を突き合わせて連結辺を形成し、該連結辺には突き合わされた前記折曲片が嵌入されこれらを挟持する連結部材が取付けられて前記分割面板を連結し、前記芯材には前記連結辺に沿って前記折曲片及び連結部材を納める凹部が形成されることを特徴とするドア。
【請求項２】
前記連結辺にはその長手方向に沿って突き合わされた前記折曲片の間にシール材を設けることを特徴とする請求項１記載のドア。
【請求項３】
前記連結部材は前記折曲片を挟持した状態で表面側端部が前記分割面板との間に隙間を有することを特徴とする請求項１または２記載のドア。
【請求項４】
前記連結部材は短尺状の折曲バネ材によって形成され、前記折曲片の端部側を納める呑み込み部と、前記折曲片の折曲部側を弾性的に挟持する挟持部とが一体的に設けられたクリップ状に形成されると共に、前記連結辺の長手方向に沿って複数設けられることを特徴とする請求項１〜３のいずれか１項に記載のドア。
【請求項５】
前記連結部材は長尺状の押出型材によって形成され、前記折曲片の端部近傍を納めると共に弾性的に挟持する挟持部が表面側面に形成されると共に、前記連結辺の長手方向略全長に渡って設けられることを特徴とする請求項１〜３のいずれか１項に記載のドア。
【発明の詳細な説明】
【技術分野】
【０００１】
本発明は建物の出入口等に配置されるドアに関し、特に室内外の金属製面板のうち少なくとも一方が分割面板によって構成されたドアに関する。
【背景技術】
【０００２】
住宅やマンションの出入口に設けられるドアとして、所定厚みの板状に形成される芯材の内外面にそれぞれ金属製の面板を配設して構成したものが知られている。この場合に意匠性を向上させるために、少なくとも内外面いずれか一方の面板を分割した分割面板とし、これらを面板の裏面側で連結したものも知られている。このようなドアとしては、例えば特許文献１に挙げるようなものがある。
【特許文献１】特開２００６−９７３８２号公報
【発明の開示】
【発明が解決しようとする課題】
【０００３】
従来のドアは分割面板を連結する構造において、分割面板の端部を折り曲げた折曲片を、ドアの内外面に渡って設けられる連結体に挿入し、これによって分割面板を連結するようにしている。しかし、このようなドアの内外面に渡る連結体を設けることにより、芯材が分割されてしまうために、構造が複雑になると共に、連結体を製造することによるコストアップを招くという問題点を有していた。
【０００４】
本発明は、上記課題を解決すべくなされたものであり、分割面板を簡易な構成で連結することができ、その構造を低コストに実現できるドアを提供することを目的とする。
【課題を解決するための手段】
【０００５】
上記課題を解決するため、本発明に係るドアは、所定厚みの板状に形成される芯材の内外面にそれぞれ金属製の面板を配設してなるドアにおいて、
前記芯材の内外少なくとも一方の面に配設される面板は複数の分割面板からなり、各分割面板は連結される縁部にそれぞれ略Ｌ字状に折り曲げられた折曲片を有し、連結する分割面板の各折曲片を突き合わせて連結辺を形成し、該連結辺には突き合わされた前記折曲片が嵌入されこれらを挟持する連結部材が取付けられて前記分割面板を連結し、前記芯材には前記連結辺に沿って前記折曲片及び連結部材を納める凹部が形成されることを特徴として構成されている。
【０００６】
また、本発明に係るドアは、前記連結辺にはその長手方向に沿って突き合わされた前記折曲片の間にシール材を設けることを特徴として構成されている。
【０００７】
さらに、本発明に係るドアは、前記連結部材は前記折曲片を挟持した状態で表面側端部が前記分割面板との間に隙間を有することを特徴として構成されている。
【０００８】
さらにまた、本発明に係るドアは、前記連結部材は短尺状の折曲バネ材によって形成され、前記折曲片の端部側を納める呑み込み部と、前記折曲片の折曲部側を弾性的に挟持する挟持部とが一体的に設けられたクリップ状に形成されると共に、前記連結辺の長手方向に沿って複数設けられることを特徴として構成されている。
【０００９】
そして、本発明に係るドアは、前記連結部材は長尺状の押出型材によって形成され、前記折曲片の端部近傍を納めると共に弾性的に挟持する挟持部が表面側面に形成されると共に、前記連結辺の長手方向略全長に渡って設けられることを特徴として構成されている。
【発明の効果】
【００１０】
本発明に係るドアによれば、芯材の内外少なくとも一方の面に配設される面板は複数の分割面板からなり、各分割面板は連結される縁部にそれぞれ略Ｌ字状に折り曲げられた折曲片を有し、連結する分割面板の各折曲片を突き合わせて連結辺を形成し、連結辺には突き合わされた折曲片が嵌入されこれらを挟持する連結部材が取付けられて分割面板を連結し、芯材には連結辺に沿って折曲片及び連結部材を納める凹部が形成されることにより、芯材を分割することなく簡易な構成で分割面板を連結することができ、低コストに分割された面板を設けることができる。
【００１１】
また、本発明に係るドアによれば、連結辺にはその長手方向に沿って突き合わされた折曲片の間にシール材を設けることにより、分割面板の連結部分における防水性を向上させることができる。
【００１２】
さらに、本発明に係るドアによれば、連結部材は折曲片を挟持した状態で表面側端部が分割面板との間に隙間を有することにより、連結部材の構造を簡易化でき、より低コストに分割面板を連結することができる。
【００１３】
さらにまた、本発明に係るドアによれば、連結部材は短尺状の折曲バネ材によって形成され、折曲片の端部側を納める呑み込み部と、折曲片の折曲部側を弾性的に挟持する挟持部とが一体的に設けられたクリップ状に形成されると共に、連結辺の長手方向に沿って複数設けられることにより、簡易な形状の連結部材によって低コストに分割面板を連結することができる。
【００１４】
そして、本発明に係るドアによれば、連結部材は長尺状の押出型材によって形成され、折曲片の端部近傍を納めると共に弾性的に挟持する挟持部が表面側面に形成されると共に、連結辺の長手方向略全長に渡って設けられることにより、長手方向に渡る連結部材によって分割面板の連結部分における防水性を向上させることができる。
【発明を実施するための最良の形態】
【００１５】
本発明の実施形態について、図面に沿って詳細に説明する。図１には本実施形態におけるドアの縦断面図を、図２にはドアの横断面図を、それぞれ示している。これら各図に示すように、本実施形態におけるドアは、所定厚みを有した板状の芯材１の内面側と外面側にそれぞれ金属板からなる内面板２と外面板３を貼着し、さらに芯材１の外周には上フレーム材１０と下フレーム材１１及び縦フレーム材１２を設けてなるものである。
【００１６】
芯材１は、発泡スチロールによって形成され、内面、外面共に略面一状となるように形成されている。ただし、外面には後述するように外面板３を構成する分割面板３ａ、３ｂの連結部２０を納めることができるように、縦方向の全長に渡って溝状の凹部１ａが形成されている。
【００１７】
上フレーム材１０と下フレーム材１１及び縦フレーム材１２は、いずれも金属によって形成されており、一方側の縦フレーム材１２には、蝶番を取付けるための取付部１２ａが設けられ、他方側の縦フレーム材１２には、戸先側の周面を覆うカバー材１２ｂが設けられると共に、上下端部にそれぞれキャップ１２ｃが設けられる。
【００１８】
芯材１の内面側に配設される内面板２は、芯材１の内面の全面及び上フレーム材１０と下フレーム材１１の室内面とを覆う一枚の金属板によって形成されている。一方で、芯材１の外面側に配設される外面板３は、横方向二枚に分割されており、それぞれ縦長状に形成される分割面板３ａと分割面板３ｂとが連結部２０において表面が面一状となるように連結されている。
【００１９】
図３にはドアの内観図を、図４にはドアの外観図を、それぞれ示している。図３に示すようにドアの内面は、一枚の金属板である内面板２によって構成されており、戸先側の一側部には、ドアノブを取付けるためのドアノブ取付部２ａと、錠を取付けるための錠取付部２ｂとが形成されている。
【００２０】
また、図４に示すようにドアの外面は、分割面板３ａと分割面板３ｂとが横方向に連設された外面板３によって構成されている。戸先側となる分割面板３ａの一側部には、内面板２と同様にドアノブ取付部３ｃと錠取付部３ｄとが形成されている。
【００２１】
次に、外面板３における分割面板３ａと分割面板３ｂとの連結構造について説明する。図５には、連結部２０の組立過程を表した分解側面図を示している。図５（ａ）に示すように、各分割面板３ａ、３ｂは連結される縁部がそれぞれＬ字状に折り曲げられて、表面に対して直交する方向に延びる折曲片２１、２１を形成している。ここで、二つの折曲片２１は、一方が他方よりも長くなるように形成されている。
【００２２】
分割面板３ａと分割面板３ｂは、折曲片２１を互いに当接させて突き合わせることによって長手方向全長に渡って連結辺２２を形成し、これによって面一状に連設される。連結辺２２には、突き合わされた各折曲片２１、２１が嵌入され、これらを挟持する連結部材２３が、長手方向に複数取付けられて、分割面板３ａ、３ｂを連結する。
【００２３】
図６には、連結部材２３の正面図及び側面図を示している。図６（ａ）は連結部材２３の正面図、図６（ｂ）は連結部材２３の側面図である。これら各図に示すように連結部材２３は、短尺状に形成されると共に、弾性を有したバネ材を折り曲げてクリップ状となるように形成されている。連結部材２３の下部には、折曲片２１の端部を納めることのできる呑み込み部２３ａが形成され、呑み込み部２３ａの上方には折曲片２１を弾性的に挟持する挟持部２３ｂが一体的に形成される。
【００２４】
図５（ｂ）に示すように、折曲片２１が突き合わされて形成された連結辺２２には、下方から連結部材２３が取付けられて連結部２０を形成し、これによって分割面板３ａ、３ｂが連結される。このように連結されて形成された外面板３は、芯材１の外面に取付けられる。ここで、連結辺２２及び連結部材２３により形成される連結部２０は、芯材１の表面に形成される凹部１ａに納められる。これによって、図５（ｃ）に示すように分割面板３ａ、３ｂが連結されてなる外面板３が芯材１の外面に配置される。芯材１または外面板３あるいはその両方、及び芯材１または内面板２あるいはその両方にはそれぞれ接着剤が予め塗布されており、芯材１の内外面にそれぞれ内面板２と外面板３を配設して、これを内外からプレスすることにより、芯材１と内面板２及び外面板３を一体化する。
【００２５】
また、連結辺２２に取付けられた連結部材２３は、折曲片２１を挟持した状態で、ドアの表面側端部が分割面板３ａ、３ｂとの間に隙間を有するように形成されている。すなわち、連結部材２３は折曲片２１を呑み込み、挟持することで分割面板３ａ、３ｂを連結しているのであって、分割面板３ａ、３ｂの折曲片２１以外の部分を保持等することなく、簡易な構成で分割面板３ａ、３ｂを連結している。これによって、分割面板３ａ、３ｂの連結の作業性を良好にすることができると共に、コストも低減することができる。
【００２６】
さらに、連結辺２２及び連結部材２３により形成される連結部２０は、凹部１ａに納めることができるので、芯材１に凹部１ａを形成するだけでこれを分割する必要がなく、ドア全体の構造も簡易にすることができる。
【００２７】
この分割面板３ａ、３ｂの連結構造については、その他の形態を採ることもできる。図７は、連結部２０の第２の形態について示した断面図である。この図に示すように、各分割面板３ａ、３ｂの突き合わされた折曲片２１、２１の間には、面状のシール材２５を設けている。シール材２５を挟んだ折曲片２１、２１によって形成された連結辺２２は、連結部材２３によって挟持され固定される。このように折曲片２１、２１の間にシール材２５を設けたことにより、連結部２０における防水性を向上させることができる。
【００２８】
また、図８は連結部２０の第３の形態について示した断面図である。この図に示すように、外面板３を構成する分割面板３ａ、３ｂは、必ずしも面一状とする必要はなく、段差を有するように配置してもよい。この形態では、分割面板３ｂについて折曲片２１がより長くなるように折り曲げ形成し、分割面板３ａの表面よりも分割面板３ｂの表面の方がより室外側となるようにしている。すなわち、連結部２０の位置において分割面板３ａと分割面板３ｂとの間に段差が生じるように配置している。なお、芯材１もこれに対応して分割面板３ａが配置される領域と分割面板３ｂが配置される領域とで高さが異なるように形成されている。この場合も、折曲片２１が突き合わされて連結辺２２が形成され、それを連結部材２３によって挟持固定される点は第１及び第２の形態と同様である。
【００２９】
図９は連結部２０の第４の形態について示した断面図である。この形態では、第３の形態と同様に分割面板３ａと分割面板３ｂとが段差を有するように構成すると共に、第２の形態と同様に折曲片２１、２１の間にシール材２５を設けて連結部２０における防水性を高めるようにしている。
【００３０】
図１０は連結部２０の第５の形態について示した断面図である。連結部材２３は第１〜第４の形態に示すように短尺状のクリップ形状のものには限られず、長尺状の押出型材によって構成してもよい。図１０に示す連結部材２３は断面中空状に形成され、その上面には分割面板３ａ、３ｂの各折曲片２１、２１の端部近傍を納めると共に、それらを弾性的に挟持固定する挟持部２３ｂが形成されている。この連結部材２３は、連結辺２２の長手方向略全長に渡って設けられている。
【００３１】
また、この場合においても、連結部材２３は折曲片２１を挟持することによって連結辺２２を固定する構造を有しているだけであって、折曲片２１を挟持した状態で、ドアの表面側端部が分割面板３ａ、３ｂとの間に隙間を有するように形成されている。すなわち、連結部材２３は折曲片２１を呑み込み、挟持することで分割面板３ａ、３ｂを連結しているのであって、分割面板３ａ、３ｂの折曲片２１以外の部分を保持等することなく、簡易な構成で分割面板３ａ、３ｂを連結している。さらに、この形態のように連結部材２３を長尺状として連結辺２２の長手方向略全長に渡って設けるようにしたことで、連結部２０の防水性を向上させることができる。
【００３２】
図１１は連結部２０の第６の形態について示した断面図である。この形態では、第５の形態と同様に連結部材２３を長尺状の押出型材によって形成し、第２及び第４の形態と同様に分割面板３ａと分割面板３ｂとが段差を有するように構成している。
【００３３】
以上、本発明の実施形態について説明したが、本発明の適用はこの実施形態に限られるものではなく、その技術的思想の範囲内において様々に適用されうるものである。例えば、本実施形態では外面板３について横方向に二枚の分割面板３ａ、３ｂを連結して構成したが、より多く分割してもよいし、また縦方向に複数の分割面板を連結するようにしてもよい。また、分割するのは外面板３のみには限られず、内面板２を分割してもよいし、また内外両方の面板を分割してもよい。
【図面の簡単な説明】
【００３４】
【図１】本実施形態におけるドアの縦断面図である。
【図２】本実施形態におけるドアの横断面図である。
【図３】ドアの内観図である。
【図４】ドアの外観図である。
【図５】連結部の分解断面図である。
【図６】連結部材の正面図及び側面図である。
【図７】連結部の第２の形態を示した断面図である。
【図８】連結部の第３の形態を示した断面図である。
【図９】連結部の第４の形態を示した断面図である。
【図１０】連結部の第５の形態を示した断面図である。
【図１１】連結部の第６の形態を示した断面図である。
【符号の説明】
【００３５】
１    芯材
１ａ  凹部
２    内面板
３    外面板
３ａ  分割面板
３ｂ  分割面板
２０    連結部
２１    折曲片
２２    連結辺
２３    連結部材
２３ａ  呑み込み部
２３ｂ  挟持部
２５    シール材
【図１】
2008095280.tif 000003
【図２】
2008095280.tif 000004
【図３】
2008095280.tif 000005
【図４】
2008095280.tif 000006
【図５】
2008095280.tif 000007
【図６】
2008095280.tif 000008
【図７】
2008095280.tif 000009
【図８】
2008095280.tif 000010
【図９】
2008095280.tif 000011
【図１０】
2008095280.tif 000012
【図１１】
2008095280.tif 000013